【手続補正書】
【提出日】平成29年8月21日(2017.8.21)
【手続補正１】
【補正対象書類名】特許請求の範囲
【補正対象項目名】全文
【補正方法】変更
【補正の内容】
【特許請求の範囲】
【請求項１】
モバイルデバイスのネットワークベースの測位のための方法であって、
前記モバイルデバイスからの第１の測位測定値を測るためのアクセスポイント（ＡＰ）の第１のセットを選択することと、ここにおいて、前記ＡＰの第１のセットを選択することは、
中央ＡＰを指定することと、
前記中央ＡＰから広がるエリアを複数のセクタへと放射状に分割することと、
前記セクタの各々から１つまたは複数のＡＰを、前記ＡＰの第１のセットとして選択することと、
を備え、
前記ＡＰの第１のセットから前記第１の測位測定値を取得することと、
前記モバイルデバイスからの第２の測位測定値を測るためのＡＰの第２のセットを、前記第１の測位測定値に基づいて選択することと、
前記ＡＰの第２のセットから前記第２の測位測定値を取得することと、
前記第１の測位測定値と前記第２の測位測定値とに基づいて、前記モバイルデバイスのロケーションを決定することと
を備える方法。
【請求項２】
前記ＡＰの第１のセットを選択することは、隣接ＡＰ間の相対的な距離に基づいて前記ＡＰの第１のセットを選択することをさらに備える、請求項１に記載の方法。
【請求項３】
前記ＡＰの第１のセットを選択することは、隣接ＡＰ間の相対的な信号強度に基づいて前記ＡＰの第１のセットを選択することをさらに備える、請求項１に記載の方法。
【請求項４】
前記第１の測位測定値または前記第２の測位測定値のうちの少なくとも１つは、ラウンドトリップ時間（ＲＴＴ）測定値を備える、請求項１に記載の方法。
【請求項５】
前記第１の測位測定値または前記第２の測位測定値のうちの少なくとも１つは、受信信号強度インジケーション（ＲＳＳＩ）測定値を備える、請求項１に記載の方法。
【請求項６】
前記ＡＰの第１のセットを選択することは、前記モバイルデバイスについての以前の位置フィックスに使用されたＡＰのセットに基づいて前記ＡＰの第１のセットを選択することを備える、請求項１に記載の方法。
【請求項７】
前記モバイルデバイスの前記ロケーションを決定する第１の時間に続く第２の時間において、前記第１の時間と前記第２の時間との差分が閾値よりも少ないかどうかを決定することと、ここにおいて、前記第１の時間において決定された前記モバイルデバイスの前記ロケーションは、前記モバイルデバイスの第１のロケーションであり、
前記第１の時間と前記第２の時間との前記差分が前記閾値よりも少ない場合、前記モバイルデバイスの前記第１のロケーションに基づいて、前記モバイルデバイスからの第３の測位測定値を測るためのＡＰの第３のセットを選択することと、前記ＡＰの第３のセットから前記第３の測位測定値を取得することと、前記モバイルデバイスの前記第１のロケーションと、前記第３の測位測定値とに基づいて、前記モバイルデバイスの第２のロケーションを決定することと
をさらに備える、請求項１に記載の方法。
【請求項８】
前記モバイルデバイスの前記ロケーションを決定する第１の時間に続く第２の時間において、前記第１の時間と前記第２の時間との前記モバイルデバイスの推定移動量が閾値よりも少ないかどうかを決定することと、ここにおいて、前記第１の時間において決定された前記モバイルデバイスの前記ロケーションは、前記モバイルデバイスの第１のロケーションである、
前記推定移動量が前記閾値よりも少ない場合、前記モバイルデバイスからの第３の測位測定値を測るためのＡＰの第３のセットを、前記モバイルデバイスの前記第１のロケーションに基づいて選択することと、前記ＡＰの第３のセットから前記第３の測位測定値を取得することと、前記モバイルデバイスの前記第１のロケーションと、前記第３の測位測定値とに基づいて、前記モバイルデバイスの第２のロケーションを決定することと
をさらに備える、請求項１に記載の方法。
【請求項９】
前記ＡＰの第２のセットを選択することは、
前記第１の測位測定値または前記モバイルデバイスの以前に決定されたロケーションに基づいて、前記モバイルデバイスの初期の推定ロケーションを指定することと、
前記初期の推定ロケーションから広がるエリアを複数のセクタへと放射状に分割することと、
前記セクタの各々から１つまたは複数のＡＰを、前記ＡＰの第２のセットとして選択することと
を備える、請求項１に記載の方法。
【請求項１０】
前記ＡＰの第２のセットを選択することは、
最も強い平均受信信号強度インジケーション（ＲＳＳＩ）を有する、前記ＡＰの第１のセットのうちのＡＰを識別することと、
前記最も強い平均ＲＳＳＩを有する前記ＡＰの第１のセットのうちの前記ＡＰについての隣接ＡＰリストに基づいて前記ＡＰの第２のセットを選択することと
を備える、請求項１に記載の方法。
【請求項１１】
前記方法はさらに、前記第１の測位測定値に基づいて、前記モバイルデバイスの推定される粗い位置を決定することを備え、
前記ＡＰの第２のセットを選択することは、前記モバイルデバイスの前記推定される粗い位置に少なくとも部分的に基づいて、前記ＡＰの第２のセットを選択することを備える、
請求項１に記載の方法。
【請求項１２】
モバイルデバイスのネットワークベースの測位を容易にする装置であって、
前記モバイルデバイスからの第１の測位測定値を測るためのアクセスポイント（ＡＰ）の第１のセットを選択するための手段と、ここにおいて、前記ＡＰの第１のセットを選択するための前記手段は、
中央ＡＰを指定するための手段と、
前記中央ＡＰから広がるエリアを複数のセクタへと放射状に分割するための手段と、
前記セクタの各々から１つまたは複数のＡＰを、前記ＡＰの第１のセットとして選択するための手段と
を備え、
前記ＡＰの第１のセットから前記第１の測位測定値を取得するための手段と、
前記モバイルデバイスからの第２の測位測定値を測るためのＡＰの第２のセットを、前記第１の測位測定値に基づいて選択するための手段と、
前記ＡＰの第２のセットから前記第２の測位測定値を取得するための手段と、
前記第１の測位測定値と前記第２の測位測定値とに基づいて、前記モバイルデバイスのロケーションを決定するための手段と
を備える装置。
【請求項１３】
前記ＡＰの第１のセットを選択するための前記手段は、隣接ＡＰ間の相対的な距離または隣接ＡＰ間の相対的な信号強度のうちの少なくとも１つに基づいて、前記ＡＰの第１のセットを選択することをさらに備える、請求項１２に記載の装置。
【請求項１４】
前記ＡＰの第１のセットを選択するための前記手段は、前記モバイルデバイスについての以前の位置フィックスに使用されたＡＰのセットに基づいて前記ＡＰの第１のセットを選択するための手段を備える、請求項１２に記載の装置。
【請求項１５】
測位サーバであって、
命令を記憶しているメモリと、
前記メモリに通信的に結合されており、請求項１〜１１のいずれか一項に記載の方法を実行するように構成された少なくとも１つのプロセッサと
を備える、測位サーバ。
【手続補正２】
【補正対象書類名】明細書
【補正対象項目名】００９２
【補正方法】変更
【補正の内容】
【００９２】
[0105]  いくつかの例示的な構成が説明されたが、本開示の精神から逸脱することなく、様々な改良、代替的な構成、および等価物が使用され得る。例えば、上の要素は、より大きなシステムの構成要素であり得、ここにおいて、他の規則が、本発明の適用よりも優先されるか、それ以外の方法でそれらを改良し得る。また、上の要素が考慮される前、最中、または、後に多数のステップが行われ得る。結果として、上の説明は、特許請求の範囲の範囲を限定するものではない。
以下に、本願の出願当初の特許請求の範囲に記載された発明を付記する。
［Ｃ１］
モバイルデバイスのネットワークベースの測位のための方法であって、
前記モバイルデバイスからの第１の測位測定値を測るためのアクセスポイント（ＡＰ）の第１のセットを選択することと、
前記ＡＰの第１のセットから前記第１の測位測定値を取得することと、
前記モバイルデバイスからの第２の測位測定値を測るためのＡＰの第２のセットを、前記第１の測位測定値に基づいて選択することと、
前記ＡＰの第２のセットから前記第２の測位測定値を取得することと、
前記第１の測位測定値と前記第２の測位測定値とに基づいて、前記モバイルデバイスのロケーションを決定することと
を備える方法。
［Ｃ２］
前記ＡＰの第１のセットを選択することは、
中央ＡＰを指定することと、
前記中央ＡＰから広がるエリアを複数のセクタへと放射状に分割することと、
前記セクタの各々から１つまたは複数のＡＰを、前記ＡＰの第１のセットとして、を選択することと
を備える、Ｃ１に記載の方法。
［Ｃ３］
前記ＡＰの第１のセットを選択することは、隣接ＡＰ間の相対的な距離に基づいて前記ＡＰの第１のセットを選択することをさらに備える、Ｃ２に記載の方法。
［Ｃ４］
前記ＡＰの第１のセットを選択することは、隣接ＡＰ間の相対的な信号強度に基づいて前記ＡＰの第１のセットを選択することをさらに備える、Ｃ２に記載の方法。
［Ｃ５］
前記第１の測位測定値または前記第２の測位測定値のうちの少なくとも１つは、ラウンドトリップ時間（ＲＴＴ）測定値を備える、Ｃ１に記載の方法。
［Ｃ６］
前記第１の測位測定値または前記第２の測位測定値のうちの少なくとも１つは、受信信号強度インジケーション（ＲＳＳＩ）測定値を備える、Ｃ１に記載の方法。
［Ｃ７］
前記ＡＰの第１のセットを選択することは、前記モバイルデバイスについての以前の位置フィックスに使用されたＡＰのセットに基づいて前記ＡＰの第１のセットを選択することを備える、Ｃ１に記載の方法。
［Ｃ８］
前記モバイルデバイスの前記ロケーションを決定する第１の時間に続く第２の時間において、前記第１の時間と前記第２の時間と差分が閾値よりも少ないかどうかを決定することと、ここにおいて、前記第１の時間において決定された前記モバイルデバイスの前記ロケーションは、前記モバイルデバイスの第１のロケーションであり、
前記第１の時間と前記第２の時間との前記差分が前記閾値よりも少ない場合、前記モバイルデバイスの前記第１のロケーションに基づいて、前記モバイルデバイスからの第３の測位測定値を測るためのＡＰの第３のセットを選択することと、前記ＡＰの第３のセットから前記第３の測位測定値を取得することと、前記モバイルデバイスの前記第１のロケーションと、前記第３の測位測定値とに基づいて、前記モバイルデバイスの第２のロケーションを決定することと
をさらに備える、Ｃ１に記載の方法。
［Ｃ９］
前記モバイルデバイスの前記ロケーションを決定する第１の時間に続く第２の時間において、前記第１の時間と前記第２の時間との前記モバイルデバイスの推定移動量が閾値よりも少ないかどうかを決定することと、ここにおいて、前記第１の時間において決定された前記モバイルデバイスの前記ロケーションは、前記モバイルデバイスの第１のロケーションである、
前記推定移動量が前記閾値よりも少ない場合、前記モバイルデバイスからの第３の測位測定値を測るためのＡＰの第３のセットを、前記モバイルデバイスの前記第１のロケーションに基づいて選択することと、前記ＡＰの第３のセットから前記第３の測位測定値を取得することと、前記モバイルデバイスの前記第１のロケーションと、前記第３の測位測定値とに基づいて、前記モバイルデバイスの第２のロケーションを決定することと
をさらに備える、Ｃ１に記載の方法。
［Ｃ１０］
前記ＡＰの第２のセットを選択することは、
前記第１の測位測定値または前記モバイルデバイスの以前に決定されたロケーションに基づいて、前記モバイルデバイスの初期の推定ロケーションを指定することと、
前記初期の推定ロケーションから広がるエリアを複数のセクタへと放射状に分割することと、
前記セクタの各々から１つまたは複数のＡＰを、前記ＡＰの第２のセットとして選択することと
を備える、Ｃ１に記載の方法。
［Ｃ１１］
前記ＡＰの第２のセットを選択することは、
最も強い平均受信信号強度インジケーション（ＲＳＳＩ）を有する、前記ＡＰの第１のセットのうちのＡＰを識別することと、
前記最も強い平均ＲＳＳＩを有する前記ＡＰの第１のセットのうちの前記ＡＰについての隣接ＡＰリストに基づいて前記ＡＰの第２のセットを選択することと
を備える、Ｃ１に記載の方法。
［Ｃ１２］
前記方法はさらに、前記第１の測位測定値に基づいて、前記モバイルデバイスの推定される粗い位置を決定することを備え、
前記ＡＰの第２のセットを選択することは、前記モバイルデバイスの前記推定される粗い位置に少なくとも部分的に基づいて、前記ＡＰの第２のセットを選択することを備える、
Ｃ１に記載の方法。
［Ｃ１３］
測位サーバであって、
モバイルデバイスからの第１の測位測定値を測るためのアクセスポイント（ＡＰ）の第１のセットを選択し、前記ＡＰの第１のセットから前記第１の測位測定値を取得し、前記モバイルデバイスからの第２の測位測定値を測るためのＡＰの第２のセットを、前記第１の測位測定値に基づいて選択し、前記ＡＰの第２のセットから前記第２の測位測定値を取得するように構成されたＡＰ調整モジュールと、
前記ＡＰ調整モジュールに通信的に結合されており、前記第１の測位測定値と前記第２の測位測定値とに基づいて前記モバイルデバイスのロケーションを決定するように構成された測位エンジンと
を備える測位サーバ。
［Ｃ１４］
前記ＡＰ調整モジュールは、中央ＡＰを指定し、前記中央ＡＰから広がるエリアを複数のセクタへと放射状に分割し、前記セクタの各々から１つまたは複数のＡＰを、前記ＡＰの第１のセットとして選択することによって、前記ＡＰの第１のセットを選択するようにさらに構成される、Ｃ１３に記載の測位サーバ。
［Ｃ１５］
前記ＡＰ調整モジュールは、隣接ＡＰ間の相対的な距離に基づいて前記ＡＰの第１のセットを選択するようにさらに構成される、Ｃ１４に記載の測位サーバ。
［Ｃ１６］
前記ＡＰ調整モジュールは、隣接ＡＰ間の相対的な信号強度に基づいて前記ＡＰの第１のセットを選択するようにさらに構成される、Ｃ１４に記載の測位サーバ。
［Ｃ１７］
前記第１の測位測定値または前記第２の測位測定値のうちの少なくとも１つは、ラウンドトリップ時間（ＲＴＴ）測定値または受信信号強度インジケーション（ＲＳＳＩ）測定値を備える、Ｃ１３に記載の測位サーバ。
［Ｃ１８］
前記ＡＰ調整モジュールは、前記モバイルデバイスについての以前の位置フィックスに使用されたＡＰのセットに基づいて前記ＡＰの第１のセットを選択するようにさらに構成される、Ｃ１３に記載の測位サーバ。
［Ｃ１９］
前記ＡＰ調整モジュールは、最も強い平均受信信号強度インジケーション（ＲＳＳＩ）を有する前記ＡＰの第１のセットのうちのＡＰを識別することと、前記最も強い平均ＲＳＳＩを有する前記ＡＰの第１のセットのうちの前記ＡＰについての隣接ＡＰリストに基づいて前記ＡＰの第２のセットを選択することとによって、前記ＡＰの第２のセットを選択するようにさらに構成される、Ｃ１３に記載の測位サーバ。
［Ｃ２０］
前記測位エンジンは、前記第１の測位測定値に基づいて、前記モバイルデバイスの推定される粗い位置を決定するようにさらに構成され、
前記ＡＰ調整モジュールは、前記モバイルデバイスの前記推定される粗い位置に少なくとも部分的に基づいて、前記ＡＰの第２のセットを選択するようにさらに構成される、
Ｃ１３に記載の測位サーバ。
［Ｃ２１］
モバイルデバイスのネットワークベースの測位を容易にする装置であって、
前記モバイルデバイスからの第１の測位測定値を測るためのアクセスポイント（ＡＰ）の第１のセットを選択するための手段と、
前記ＡＰの第１のセットから前記第１の測位測定値を取得するための手段と、
前記モバイルデバイスからの第２の測位測定値を測るためのＡＰの第２のセットを、前記第１の測位測定値に基づいて選択するための手段と、
前記ＡＰの第２のセットから前記第２の測位測定値を取得するための手段と、
前記第１の測位測定値と前記第２の測位測定値とに基づいて、前記モバイルデバイスのロケーションを決定するための手段と
を備える装置。
［Ｃ２２］
前記ＡＰの第１のセットを選択するための前記手段は、
中央ＡＰを指定するための手段と、
前記中央ＡＰから広がるエリアを複数のセクタへと放射状に分割するための手段と、
前記セクタの各々から１つまたは複数のＡＰを、前記ＡＰの第１のセットとして選択するための手段と
を備える、Ｃ２１に記載の装置。
［Ｃ２３］
前記ＡＰの第１のセットを選択するための前記手段は、隣接ＡＰ間の相対的な距離または隣接ＡＰ間の相対的な信号強度のうちの少なくとも１つに基づいて、前記ＡＰの第１のセットを選択することをさらに備える、Ｃ２２に記載の装置。
［Ｃ２４］
前記ＡＰの第１のセットを選択するための前記手段は、前記モバイルデバイスについての以前の位置フィックスに使用されたＡＰのセットに基づいて前記ＡＰの第１のセットを選択するための手段を備える、Ｃ２１に記載の装置。
［Ｃ２５］
前記ＡＰの第２のセットを選択するための前記手段は、
最も強い平均受信信号強度インジケーション（ＲＳＳＩ）を有する前記ＡＰの第１のセットのうちのＡＰを識別するための手段と、
前記最も強い平均ＲＳＳＩを有する前記ＡＰの第１のセットのうちの前記ＡＰについての隣接ＡＰリストに基づいて、前記ＡＰの第２のセットを選択するための手段と
を備える、Ｃ２１に記載の装置。
［Ｃ２６］
前記装置は、前記第１の測位測定値に基づいて、前記モバイルデバイスの推定される粗い位置を決定するための手段をさらに備え、
前記ＡＰの第２のセットを選択するための前記手段は、前記モバイルデバイスの前記推定される粗い位置に少なくとも部分的に基づいて、前記ＡＰの第２のセットを選択するための手段を備える、
Ｃ２１に記載の装置。
［Ｃ２７］
測位サーバであって、
命令を記憶しているメモリと、
前記メモリに通信的に結合されており、前記命令を実行するように構成された少なくとも１つのプロセッサと、
を備え、前記命令は、前記少なくとも１つのプロセッサによって実行されると、前記少なくとも１つのプロセッサに、
モバイルデバイスからの第１の測位測定値を測るためのアクセスポイント（ＡＰ）の第１のセットを選択することと、
前記ＡＰの第１のセットから前記第１の測位測定値を取得することと、
前記モバイルデバイスからの第２の測位測定値を測るためのＡＰの第２のセットを、前記第１の測位測定値に基づいて選択することと、
前記ＡＰの第２のセットから前記第２の測位測定値を取得することと、
前記第１の測位測定値と前記第２の測位測定値とに基づいて、前記モバイルデバイスのロケーションを決定することと
を行わせる、測位サーバ。
［Ｃ２８］
前記命令は、前記少なくとも１つのプロセッサによって実行されると、前記少なくとも１つのプロセッサに、
中央ＡＰを指定することと、
前記中央ＡＰから広がるエリアを複数のセクタへと放射状に分割することと、
前記セクタの各々から１つまたは複数のＡＰを、前記ＡＰの第１のセットとして選択することと、
をさらに行わせる、Ｃ２７に記載の測位サーバ。
［Ｃ２９］
前記命令は、前記少なくとも１つのプロセッサによって実行されると、前記少なくとも１つのプロセッサに、
最も強い平均受信信号強度インジケーション（ＲＳＳＩ）を有する前記ＡＰの第１のセットのうちのＡＰを識別することと、
前記最も強い平均ＲＳＳＩを有する前記ＡＰの第１のセットのうちの前記ＡＰについての隣接ＡＰリストに基づいて、前記ＡＰの第２のセットを選択することと
をさらに行わせる、Ｃ２７に記載の測位サーバ。
［Ｃ３０］
前記命令は、前記少なくとも１つのプロセッサによって実行されると、前記少なくとも１つのプロセッサに、
前記第１の測位測定値に基づいて、前記モバイルデバイスの推定される粗い位置を決定することと、
前記モバイルデバイスの前記推定される粗い位置に少なくとも部分的に基づいて、前記ＡＰの第２のセットを選択することと
をさらに行わせる、Ｃ２７に記載の測位サーバ。